(57)【要約】【課題】洗面台毎に専用の吹出しチャンバを用いることなく、床下チャンバと当該洗面台の吹出し用開口部を接続させることが可能となる吹出しチャンバ及び空調設備を得る。【解決手段】吹出しチャンバ１０は、外形変形部材５０を備えており、吹出しチャンバ１０の外形を変更可能としている。当該外形変形部材５０は、床下チャンバ１８の位置に合わせ、当該床下チャンバ１８の開口壁３８に接続される接続口４４を含んだ状態で、吹出しチャンバ１０の外形を変えることができる。これにより、床下チャンバ１８及び洗面台１４の吹出し用開口部４２の配置に関係なく、吹出しチャンバ１０の接続口４４、接続口４６を床下チャンバ１８の開口壁３８、洗面台１４の吹出し用開口部４２にそれぞれ接続させることが可能となる。【選択図】図１
2019207067.tif 000002
【特許請求の範囲】
【請求項１】
洗面台の下端部に設けられた収容部内に収容され、床下に設けられ空調装置により生成された空調空気が流れる床下チャンバに接続されて前記空調空気が流れる吹出しチャンバであって、
折曲げ位置を変えることにより外形を変えることができる外形変形部材を備え、
前記外形変形部材は、
前記床下チャンバに形成され前記収容部内に露出する床下チャンバ側開口部に接続される第１接続口と、
前記第１接続口と連通し、前記洗面台の下端部に設けられた吹出し用開口部に接続される第２接続口と、
を含んで構成されている吹出しチャンバ。
【請求項２】
前記外形変形部材は、
前記洗面台の高さ方向に沿って複数配置され、上端部に上ヒンジ部が設けられると共に下端部に下ヒンジ部が設けられた縦骨部と、
前記上ヒンジ部を介して、隣り合って配置された一対の前記縦骨部の上端部同士を繋ぐ上骨部と、
前記上骨部と対向して配置され、前記下ヒンジ部を介して、隣り合って配置された一対の前記縦骨部の下端部同士を繋ぐ下骨部と、
を含んで構成されている請求項１に記載の吹出しチャンバ。
【請求項３】
前記第１接続口及び前記第２接続口を除いて封止するシール部材がさらに設けられている請求項２に記載の吹出しチャンバ。
【請求項４】
一対の前記縦骨部、前記上骨部及び前記下骨部を含んで構成された複数の骨部材内において、前記第２接続口以外の開口には、当該開口を塞ぐ閉塞部材がそれぞれ設けられている請求項２又は請求項３に記載の吹出しチャンバ。
【請求項５】
請求項１〜請求項４の何れか１項に記載の吹出しチャンバを備えた空調設備。
【発明の詳細な説明】
【技術分野】
【０００１】
本発明は、吹出しチャンバ及び空調設備に関する。
【背景技術】
【０００２】
例えば、下記特許文献１には、洗面化粧台（以下、「洗面台」という）に温風発生装置が設けられた技術が開示されている。この先行技術では、洗面台の下端部に設けられた吹き出し口（以下、「吹出し用開口部」という）を通じて、温風発生装置によって生成された温風が洗面室内に供給されるようになっている。
【０００３】
一方、従来、ユニット住宅等の建物に適用されるセントラル空調システム(全館空調システム）では、天井裏又は床下に設けられた空調ダクトを介して、空調装置によって生成された空調空気を、建物内の各空間部（居室部、非居室部）へ供給する構成が提案されている。
【０００４】
この全館空調システムにおいて、床下に設けられた空調ダクト（以下、「床下チャンバ」という）を介して建物内の空間部へ空調空気が供給される場合、当該空調空気が吹き出される吹出し用開口部は床部に設けられる。当該空間部が洗面室の場合、洗面室の隣には浴室が設けられ、洗面室には洗面台以外に洗濯機が配置される場合もある。このような場合、吹出し用開口部は生活動線上に配置される可能性がある。
【先行技術文献】
【特許文献】
【０００５】
【特許文献１】特開平０５−１５７３５６号公報
【発明の概要】
【発明が解決しようとする課題】
【０００６】
当該吹出し用開口部を生活動線上に配置しないようにするため、前述の特許文献１に記載されている先行技術を適用させ、吹出し用開口部を洗面台に設け、当該吹出し用開口部を通じて当該空調空気を洗面室内に供給することが考えられる。しかしながら、洗面台の下端部に設けられた吹出し用開口部と床下チャンバの位置は離れているため、吹出し用開口部と床下チャンバを直接接続させることができない。したがって、当該吹出し用開口部と床下チャンバとの間には、両者を繋ぐチャンバ（以下、「吹出しチャンバ」という）が別途必要となる。
【０００７】
ここで、例えば、ユニット住宅では、建物ユニットの床下と床部の間に複数の床小梁が配設されており、床下チャンバは床小梁と干渉しないように配設する必要がある。一方、洗面台の下端部に設けられる吹出し用開口部の位置は予め決まってしまう。したがって、床下チャンバと当該吹出し用開口部とを接続させるには制約が多く、洗面台毎に専用の吹出しチャンバが必要となり、吹出し用開口部を洗面台に設けるには、さらなる改善の余地がある。
【０００８】
本発明は上記事実に鑑みてなされたものであり、洗面台毎に専用の吹出しチャンバを用いることなく、床下チャンバと当該洗面台の吹出し用開口部を接続させることが可能となる吹出しチャンバ及び空調設備の提供を目的とする。
【課題を解決するための手段】
【０００９】
上記目的を達成するため、第１の態様に係る吹出しチャンバは、洗面台の下端部に設けられた収容部内に収容され、床下に設けられ空調装置により生成された空調空気が流れる床下チャンバに接続されて前記空調空気が流れる吹出しチャンバであって、折曲げ位置を変えることにより外形を変えることができる外形変形部材を備え、前記外形変形部材は、前記床下チャンバに形成され前記収容部内に露出する床下チャンバ側開口部に接続される第１接続口と、前記第１接続口と連通し、前記洗面台の下端部に設けられた吹出し用開口部に接続される第２接続口と、を含んで構成されている。
【００１０】
第１の態様に係る吹出しチャンバは、洗面台の下端部に設けられた収容部内に収容されており、床下に設けられ空調装置により生成された空調空気が流れる床下チャンバに接続されて当該空調空気が流れるようになっている。この吹出しチャンバは、折曲げ位置を変えることにより外形を変えることができる外形変形部材を備えている。
【００１１】
この外形変形部材は、第１接続口と当該第１接続口と連通する第２接続口と、を含んで構成されており、当該第１接続口は、床下チャンバに形成され収容部内に露出する床下チャンバ側開口部に接続されるようになっている。一方、第２接続口は、洗面台の下端部に設けられた吹出し用開口部に接続されるようになっている。そして、吹出しチャンバの第１接続口が床下チャンバ側開口部に接続されると共に、第２接続口が吹出し用開口部に接続されることによって、床下チャンバ内を流れる空調空気が、吹出しチャンバ内を流れ、吹出し用開口部から吹き出されることとなる。
【００１２】
本態様では、吹出しチャンバは外形変形部材を備えており、当該外形変形部材の折曲げ位置を変えることにより、外形変形部材の外形を変えることができる。つまり、外形変形部材の外形を変えることによって、結果的に吹出しチャンバ自体の外形を変えることができる。
【００１３】
ここで、吹出しチャンバを介して、床下チャンバ側開口部と吹出し用開口部とを接続させる際、洗面台には配水管が配設されているため、配水管と干渉しないようにする吹出しチャンバを配設する必要がある。このため、当該外形変形部材による折曲げ位置を変え、吹出しチャンバの外形を変えることにより、当該配水管との干渉を回避することが可能となる。したがって、本態様では、洗面台毎に専用の吹出しチャンバを用いることなく、床下チャンバと当該洗面台の吹出し用開口部を接続させることが可能となる。
【００１４】
第２の態様に係る吹出しチャンバは、第１の態様に係る吹出しチャンバにおいて、前記外形変形部材は、前記洗面台の高さ方向に沿って複数配置され、上端部に上ヒンジ部が設けられると共に下端部に下ヒンジ部が設けられた縦骨部と、前記上ヒンジ部を介して、隣り合って配置された一対の前記縦骨部の上端部同士を繋ぐ上骨部と、前記上骨部と対向して配置され、前記下ヒンジ部を介して、隣り合って配置された一対の前記縦骨部の下端部同士を繋ぐ下骨部と、を含んで構成されている。
【００１５】
第２の態様に係る吹出しチャンバでは、外形変形部材は、縦骨部と上骨部と下骨部とを含んで構成されている。縦骨部は、洗面台の高さ方向に沿って複数配置されており、縦骨部の上端部には上ヒンジ部が設けられ、縦骨部の下端部には下ヒンジ部が設けられている。また、上骨部は、上ヒンジ部を介して、隣り合って配置された一対の縦骨部の上端部同士を繋いでおり、下骨部は、上骨部と対向して配置され、下ヒンジ部を介して、隣り合って配置された一対の縦骨部の下端部同士を繋いでいる。これにより、当該縦骨部を起点として折曲げが可能とされ、吹出しチャンバの外形が変更可能となる。
【００１６】
第３の態様に係る吹出しチャンバは、第２の態様に係る吹出しチャンバにおいて、前記第１接続口及び前記第２接続口を除いて封止するシール部材がさらに設けられている。
【００１７】
第３の態様に係る吹出しチャンバでは、外形変形部材は、複数の縦骨部と複数の上骨部と複数の下骨部とで形成されており、一対の縦骨部、上骨部及び下骨部で構成される骨部材内は開口となっている。このため、吹出しチャンバにおける第１接続口及び前記第２接続口を除き、骨部材内の開口は、シール部材によって封止するように設定されている。
【００１８】
第４の態様に係る吹出しチャンバは、第２の態様又は第３の態様に係る吹出しチャンバにおいて、一対の前記縦骨部、前記上骨部及び前記下骨部を含んで構成された複数の骨部材内において、前記第２接続口以外の開口には、当該開口を塞ぐ閉塞部材がそれぞれ設けられている。
【００１９】
第４の態様に係る吹出しチャンバでは、外形変形部材は、一対の縦骨部、上骨部及び下骨部を含んで構成された骨部材が複数繋がって形成されている。当該骨部材内は開口となっているため、当該開口にはこの開口を塞ぐ閉塞部材が設けられている。換言すると、当該閉塞部材が設けられていない骨部材では、開口が塞がっていない。つまり、閉塞部材が設けられていない骨部材内が第２接続口となり、閉塞部材の有無によって第２接続口の位置を変えることができる。
【００２０】
第５の態様に係る空調設備は、第１の態様〜第４の態様の何れか１の態様に係る吹出しチャンバを備えている。
【発明の効果】
【００２１】
以上説明したように、本態様に係る吹出しチャンバ及び空調設備は、洗面台毎に専用の吹出しチャンバを用いることなく、床下チャンバと当該洗面台の吹出し用開口部を接続させることができる、という優れた効果を有する。
【図面の簡単な説明】
【００２２】
【図１】本実施の形態に係る吹出しチャンバと、床下チャンバ及び洗面台の吹出し用開口部を示す分解斜視図である。
【図２】本実施の形態に係る吹出しチャンバによって床下チャンバと洗面台の吹出し用開口部が接続された状態を示す図１の２−２線において切断したときの側断面図である。
【図３】本実施の形態に係る吹出しチャンバに設けられた外形変形部材の構成を示す斜視図である。
【図４】本実施の形態に係る吹出しチャンバの構成を示す分解斜視図である。
【図５】（Ａ）は、本実施の形態に係る吹出しチャンバに設けられた外形変形部材の開口に閉塞部材が嵌め込まれた状態を示す断面図であり、（Ｂ）は、外形変形部材の上端にカバー部材が嵌め込まれた状態を示す断面図である。
【図６】（Ａ）は、床小梁と床下チャンバと洗面台の吹出し用開口部との位置関係を示す平面図、（Ｂ）は、Ｌ字型の外形変形部材用のカバー部材を示す斜視図、（Ｃ）は、Ｌ字型の外形変形部材を示す平面図、（Ｄ）は、反転Ｌ字型の外形変形部材用のカバー部材を示す斜視図、（Ｅ）は、反転Ｌ字型の外形変形部材を示す平面図である。
【図７】（Ａ）は、床小梁と床下チャンバと洗面台の吹出し用開口部との位置関係を示す平面図、（Ｂ）は、Ｌ字型の外形変形部材を示す平面図、（Ｃ）は、Ｔ字型の外形変形部材用のカバー部材を示す斜視図、（Ｄ）は、Ｔ字型の外形変形部材を示す平面図である。
【図８】本実施の形態に係る吹出しチャンバが適用された洗面室を示す平面図である。
【発明を実施するための形態】
【００２３】
一般に、図示はしないが、セントラル空調システム(全館空調システム）が設けられたユニット住宅等の建物には、空調設備が備えられている。この空調設備には、室内装置としての室内機及び室外装置としての室外機が含まれており、室内機、室内機に接続される空調ダクト、及び当該空調ダクトが接続される空調チャンバ等の空調設備機器により、室内空間を空調する一システムが構成されている。
【００２４】
ここで、空調チャンバは、室内の空気を吸い込む吸込みチャンバと、室内機によって生成された空調空気を室内側へ吹き出す吹出しチャンバと、に区別され、空調ダクトは、吸込みチャンバと接続される吸込みダクトと、吹出しチャンバと接続される吹出しダクトと、に区別される。以下、図１〜図８を用いて、本発明の一実施の形態に係る吹出しチャンバ１０を備えた空調設備１２について説明する。
【００２５】
（吹出しチャンバの構成）
まず、本実施の形態に係る吹出しチャンバ１０の構成について説明する。
【００２６】
図１及び図２に示されるように、当該吹出しチャンバ１０は、洗面台１４の下端部１４Ａに設けられた収容部１６内に収容されており、床下チャンバ１８と接続可能となっている。床下チャンバ１８は、床下空間（床下）２０に配設された床下ダクト２２と接続されている。当該床下ダクト２２は円筒状を成しており、床下ダクト２２内には、図示しない空調装置により生成された空調空気が流れるようになっている。
【００２７】
一方、床下チャンバ１８は、角筒状を成しており、上下方向に沿って配置されている。また、床下チャンバ１８の下部１８Ａには接続部２４が設けられており、当該接続部２４に床下ダクト２２の端部２２Ａが接続されている。なお、床下チャンバ１８は、建物ユニット２６の床部２８の一部を構成し隣り合って配置された床小梁３０、３２や配水管３４等と干渉しないように配置される。
【００２８】
また、床下チャンバ１８の開口側には、床下チャンバ本体３６の外形寸法よりも小さくなるように形成された開口壁（床下チャンバ側開口部）３８が形成されている。この開口壁３８が建物ユニット２６の床部２８の一部を構成する床材４０に形成された貫通穴４０Ａを貫通し、洗面台１４の下端部１４Ａに設けられた収容部１６内に露出している。
【００２９】
図１に示されるように、洗面台１４の下端部１４Ａには、吹出し用開口部４２が設けられている。この吹出し用開口部４２は、水平方向に沿った方向を長手方向とする矩形状を成しており、洗面室４８と洗面台１４の収容部１６との間を連通可能としている。
【００３０】
本実施形態では、吹出しチャンバ１０には、床下チャンバ１８の開口壁３８に接続される接続口４４（第１接続口）と、洗面台１４の吹出し用開口部４２に接続される接続口４６（第２接続口）と、が設けられている。
【００３１】
吹出しチャンバ１０の接続口４４が床下チャンバ１８の開口壁３８に接続され、かつ接続口４６が洗面台１４の吹出し用開口部４２に接続された状態で、当該吹出し用開口部４２を通じて、床下ダクト２２内の空調空気が洗面室４８内へ吹き出されるようになっている（二点鎖線で示す矢印）。なお、接続口４６には、装飾用の空調グリル４７が取付けられる。このため、厳密にいうと、吹出し用開口部４２には、当該空調グリル４７が取付けられることとなる。
【００３２】
ここで、本実施形態では、吹出しチャンバ１０は、外形変形部材５０を備えている。図３に示されるように、当該外形変形部材５０は、縦骨部５２と上骨部５４と下骨部５６とを含んで構成されている。
【００３３】
縦骨部５２は、洗面台１４（図１参照）の高さ方向に沿って複数配置されており、縦骨部５２の上端部には上ヒンジ部５８が設けられると共に、縦骨部５２の下端部には下ヒンジ部６０が設けられている。そして、上骨部５４は、当該上ヒンジ部５８を介して、隣り合って配置された一対の縦骨部５２の上端部同士を繋いでいる。一方、下骨部５６は、上骨部５４と対向して配置されており、当該下ヒンジ部６０を介して、隣り合って配置された一対の縦骨部５２の下端部同士を繋いでいる。
【００３４】
そして、本実施形態では、当該縦骨部５２を起点として、上ヒンジ部５８及び下ヒンジ部６０を介して、隣り合って配置された一対の上骨部５４、一対の下骨部５６の折曲げがそれぞれ可能とされ、折曲げ位置を変えることにより吹出しチャンバ１０の外形を変えることができる。
【００３５】
具体的に説明すると、例えば、本実施形態では、外形変形部材５０は、円柱状を成す１２本の縦骨部５２、それぞれ球状を成す１２個の上ヒンジ部５８、１２個の下ヒンジ部６０、それぞれ円柱状を成す１２本の上骨部５４、１２本の下骨部５６、を含んで構成されている。なお、ここでは、説明の便宜上、縦骨部５２を起点とする折曲部の位置（折曲げ位置）を符号Ａ〜Ｋで示している。また、符号Ａ〜Ｋについては、後述する骨部材５５や開口６２において、折曲げ位置に付随して位置を特定にするため適宜用いられる。
【００３６】
当該吹出しチャンバ１０では、外形変形部材５０において、図４に示す床下チャンバ１８の開口壁３８に接続される接続口４４を含んだ状態で、折曲部Ａ、Ｄ、Ｅ、Ｇ、Ｉ、Ｊで縦骨部５２を起点として、隣り合って配置された一対の上骨部５４、一対の下骨部５６がそれぞれ折曲げられている。これにより、外形変形部材５０は、平面視で略Ｌ字状を成す形状（Ｌ字型）とされる。
【００３７】
また、図３に示されるように、本実施形態では、一対の縦骨部５２、上骨部５４及び下骨部５６によって、矩形状の骨部材５５が形成されている。つまり、本実施形態では、骨部材５５は１２個設けられており（骨部材５５Ａ〜骨部材５５Ｌ）、隣り合う骨部材５５同士では、縦骨部５２が兼用されている。
【００３８】
また、各骨部材５５（骨部材５５Ａ〜骨部材５５Ｌ）の内側は、それぞれ開口６２（開口６２Ａ〜開口６２Ｌ）となっており、開口６２Ａ〜６２Ｌ内には、板状の閉塞部材７０がそれぞれ嵌め込み可能とされている。当該閉塞部材７０は、例えば、その上部、下部に、円弧状のフック部７０Ａ、７０Ｂが上方側、下方側へ向かってそれぞれ張り出している。
【００３９】
このフック部７０Ａ、７０Ｂは、上骨部５４、下骨部５６において外形変形部材５０の内側の外周面の一部にそれぞれ面接触可能とされており、図５（Ａ）に示されるように、当該フック部７０Ａ、７０Ｂが、上骨部５４、下骨部５６の外周面の一部に面接触された状態で上骨部５４、下骨部５６にそれぞれ掛止可能とされる。フック部７０Ａ、７０Ｂが上骨部５４、下骨部５６にそれぞれ掛止された状態で、閉塞部材７０は開口６２内に嵌め込まれたとされ、当該開口６２は閉塞部材７０によって閉塞されたこととなる。
【００４０】
また、外形変形部材５０の上端には、当該外形変形部材５０の形状に合わせて（後述する）、図４に示されるように、カバー部材７２が嵌め込まれるようになっている。本実施形態では、外形変形部材５０はＬ字型とされているため、Ｌ字型のカバー部材７２が外形変形部材５０の上端に嵌め込まれる。
【００４１】
例えば、図５（Ｂ）に示されるように、カバー部材７２の裏面７２Ａ側には、カバー部材７２の外形に沿って凹部７２Ｂが形成されている。この凹部７２Ｂは、外形変形部材５０の上骨部５４の外周面の曲率と略同じ大きさとなるように形成されており、上骨部５４の外周面の上部に嵌合可能とされている。カバー部材７２の凹部７２Ｂが、外形変形部材５０の上骨部５４に嵌合された状態で、外形変形部材５０の上端は閉塞されることとなる。
【００４２】
さらに、本実施形態では、図３に示されるように、吹出しチャンバ１０の外形変形部材５０において、折曲部Ａから折曲部Ｄまでの間に位置する開口６２Ａ〜６２Ｃが、図１に示す洗面台１４の吹出し用開口部４２に接続される接続口４６となる。この接続口４６に前述した空調グリル４７が取付けられる。
【００４３】
空調グリル４７は、当該吹出し用開口部４２に対応して、水平方向に沿った方向を長手方向とする矩形状を成しており、例えば、外形変形部材５０の開口６２Ａ〜６２Ｃに対応して開口４７Ａ、４７Ｂ、４７Ｃがそれぞれ形成されている。なお、当該空調グリル４７の形状はこれに限るものではない。
【００４４】
また、空調グリル４７の裏面４７Ｄ側には、前述したカバー部材７２と同様に、例えば、図示はしないが当該空調グリル４７の外形に沿って凹部が形成されている。この凹部は、外形変形部材５０の縦骨部５２、上骨部５４及び下骨部５６の外周面の曲率と略同じ大きさとなるように形成されており、当該縦骨部５２、上骨部５４及び下骨部５６の外周面の嵌合可能とされる。
【００４５】
当該空調グリル４７の凹部が縦骨部５２、上骨部５４及び下骨部５６の外周面の嵌合された状態で、図１に示されるように、空調グリル４７は、外形変形部材５０の接続口４６に取付けられ、この状態で、当該空調グリル４７が吹出し用開口部４２内に取付けられる。つまり、外形変形部材５０の接続口４６は、開口状態のままであり、閉塞部材７０は、当該接続口４６（開口６２Ａ〜開口６２Ｃ）以外の開口６２Ｄ〜開口６２Ｌに嵌め込まれる。
【００４６】
ここで、前述のように、本実施形態における吹出しチャンバ１０では、図３、図６（Ｃ）に示されるように、外形変形部材５０において、折曲部Ａ、Ｄ、Ｅ、Ｇ、Ｉ、Ｊで縦骨部５２を起点として、隣り合って配置された一対の上骨部５４、一対の下骨部５６がそれぞれ折曲げられることによって、外形変形部材５０は平面視で略Ｌ字状を成している（Ｌ字型）。
【００４７】
しかしながら、本実施形態における外形変形部材５０は、図４に示されるように、床下チャンバ１８の開口壁３８に接続される接続口４４を含んだ状態で、折曲げ位置を変えることにより、外形変形部材５０の形状を変えることが可能となる。このため、外形変形部材５０の形状は、Ｌ字型に限るものではない。
【００４８】
例えば、図６（Ｅ）に示されるように、折曲部Ａ、Ｄ、Ｇ、Ｈ、Ｊ、Ｌにおいて、図３に示す縦骨部５２を起点として、隣り合って配置された一対の上骨部５４、一対の下骨部５６がそれぞれ折曲げられることによって、外形変形部材５０が平面視でＬ字状に対して左右反転された状態となる形状とされてもよい（反転Ｌ字型）。
【００４９】
また、図７（Ｄ）に示されるように、折曲部Ａ、Ｄ、Ｅ、Ｆ、Ｈ、Ｉ、Ｋ、Ｌにおいて、図３に示す縦骨部５２を起点として折曲げられることにより、外形変形部材５０が平面視で略逆Ｔ字状を成す形状とされてもよい（Ｔ字型）。
【００５０】
以上のように、外形変形部材５０は、その形状（Ｌ字型、反転Ｌ字型、Ｔ字型）を変更可能としている。このため、当該外形変形部材５０の形状に応じて、それぞれ、図６（Ｂ）、図６（Ｄ）、図７（Ｃ）に示されるように、カバー部材７２、７６、７８が設けられている。
【００５１】
したがって、図６（Ｃ）、図６（Ｅ）、図７（Ｄ）に示される外形変形部材５０の形状に合わせて、図６（Ｂ）、図６（Ｄ）、図７（Ｃ）に示されるカバー部材７２、７６、７８が当該外形変形部材５０に嵌め込まれる。また、図４に示されるように、開口６２の一部が閉塞部材７０によって閉塞されると共に、シール部材７４によって外形変形部材５０の外側が覆われることによって、外形変形部材５０内は封止され、吹出しチャンバ１０が形成される。
【００５２】
（吹出しチャンバの作用及び効果）
次に、本実施の形態に係る吹出しチャンバ１０の作用及び効果について説明する。
【００５３】
図１に示されるように、本実施の形態に係る吹出しチャンバ１０は、洗面台１４の下端部１４Ａに設けられた収容部１６内に収容されている。一方、床下空間２０には、図示しない空調空気が流れる床下チャンバ１８が設けられており、当該床下チャンバ１８の開口壁３８が洗面台１４の収容部１６内に露出している。また、洗面台１４の下端部１４Ａには、吹出し用開口部４２が設けられている。
【００５４】
本実施形態では、吹出しチャンバ１０には、床下チャンバ１８の開口壁３８に接続される接続口４４と、洗面台１４の吹出し用開口部４２に接続される接続口４６と、が設けられている。このため、吹出しチャンバ１０の接続口４４が床下チャンバ１８の開口壁３８に接続され、かつ接続口４６が洗面台１４の吹出し用開口部４２に接続された状態で、床下ダクト２２内の空調空気が吹出しチャンバ１０内を流れ、吹出し用開口部４２を通じて、洗面室４８内へ吹き出されるようになっている。
【００５５】
つまり、本実施形態では、吹出し用開口部４２は洗面台１４の下端部１４Ａに設けられているため、図８に示されるように、当該吹出し用開口部４２は生活動線上に配置されることはない。そして、洗面台１４の下端部１４Ａに吹出し用開口部４２が設けられることで、洗面室４８内に洗濯物を干すことができ、また、浴室８０の前に配置されるバスマット８２等を乾燥させることができる。
【００５６】
一方、図３に示されるように、本実施形態では、当該吹出しチャンバ１０は、外形変形部材５０を備えており、外形変形部材５０の折曲げ位置を変えることにより、吹出しチャンバ１０の外形を変えることができる。
【００５７】
例えば、比較例として説明すると、洗面台１４の下端部１４Ａに吹出し用開口部４２を設けた場合、床下チャンバ１８の開口壁３８と吹出し用開口部４２とは直接接続できないため、床下チャンバ１８の開口壁３８と吹出し用開口部４２の間には、吹出しチャンバ１０が接続されることとなる。一方、洗面台１４の下端部１４Ａに設けられる吹出し用開口部４２は予め向きが決められており、また、当該床下チャンバ１８は、建物ユニット２６の床部２８の一部を構成する床小梁３０、３２や配水管３４等と干渉しないように配置させる必要がある。つまり、床下チャンバ１８と洗面台１４の吹出し用開口部４２とを接続させるには制約が多く、図示はしないが、洗面台毎に専用の吹出しチャンバが必要となってしまう。
【００５８】
これに対して、本実施形態では、前述のように、吹出しチャンバ１０は、外形変形部材５０を備え、当該外形変形部材５０の変形により吹出しチャンバ１０の外形（形状）を変更可能としている。そして、外形変形部材５０は、床下チャンバ１８の位置に合わせ、当該床下チャンバ１８の開口壁３８に接続される接続口４４を含んだ状態で、吹出しチャンバ１０の外形を変えることができる。
【００５９】
これにより、本実施形態では、図１に示す床下チャンバ１８及び洗面台１４の吹出し用開口部４２の位置に関係なく、配水管３４と干渉しないように吹出しチャンバ１０の形状を変え、吹出しチャンバ１０の接続口４４、接続口４６を床下チャンバ１８の開口壁３８、洗面台１４の吹出し用開口部４２にそれぞれ接続させることが可能となる。
【００６０】
すなわち、本実施形態では、図示はしないが、洗面台毎に専用の吹出しチャンバを用いることなく、図１に示されるように、床下チャンバ１８と当該洗面台１４の吹出し用開口部４２を接続させることが可能となる。
【００６１】
ところで、本実施形態では、図３に示されるように、外形変形部材５０は、縦骨部５２と上骨部５４と下骨部５６とを含んで構成されている。縦骨部５２は、洗面台１４の高さ方向に沿って複数配置されており、縦骨部５２の上端部には上ヒンジ部５８が設けられ、縦骨部５２の下端部には下ヒンジ部６０が設けられている。また、上骨部５４は、上ヒンジ部５８を介して、隣り合って配置された一対の縦骨部５２の上端部同士を繋いでいる。さらに、下骨部５６は、上骨部５４と対向して配置されており、下ヒンジ部６０を介して、隣り合って配置された一対の縦骨部５２の下端部同士を繋いでいる。これにより、当該縦骨部５２を起点として折曲げが可能とされ、折曲げ位置を変えて、吹出しチャンバ１０の外形が変更可能となる。
【００６２】
例えば、図６（Ａ）には、床小梁３０、３２、３３と床下チャンバ１８の開口壁３８と洗面台１４の吹出し用開口部４２との位置関係を示す平面図が示されている。なお、後述する図７（Ａ）もこれと同様である。
【００６３】
図６（Ａ）には、床小梁３０と床小梁３２の間に床下チャンバ１８の開口壁３８が配置されるタイプＡと、床小梁３２と床小梁３３の間に床下チャンバ１８の開口壁３８が配置されるタイプＢと、が示されている。タイプＡでは、図６（Ｃ）に示されるように、外形変形部材５０の形状は、Ｌ字型となり、タイプＢでは、図６（Ｅ）に示されるように、外形変形部材５０の形状は、反転Ｌ字型となる。
【００６４】
すなわち、この場合、例えば、図１に示す洗面台１４の吹出し用開口部４２と床下ダクト２２との接続位置によって、外形変形部材５０の形状をＬ字型や反転Ｌ字型に変え、床下チャンバ１８と洗面台１４の吹出し用開口部４２を吹出しチャンバ１０で接続できるようにしている。
【００６５】
また、図７（Ａ）には、床小梁３０と床小梁３２の間において、床小梁３０側に床下チャンバ１８の開口壁３８が配置されるタイプＣと、床小梁３２側に床下チャンバ１８の開口壁３８が配置されるタイプＤと、が示されている。タイプＣでは、図７（Ｂ）に示されるように、外形変形部材５０の形状は、Ｌ字型となり、タイプＤでは、図７（Ｄ）に示されるように、外形変形部材５０の形状は、Ｔ字型となる。
【００６６】
すなわち、この場合、例えば、配水管３４の位置によって、外形変形部材５０の形状をＬ字型やＴ字型に変え、床下チャンバ１８の開口壁３８と洗面台１４の吹出し用開口部４２を吹出しチャンバ１０で接続できるようにしている。
【００６７】
以上のように、本実施形態では、予め決められている図１に示す洗面台１４の吹出し用開口部４２に対して、図６（Ａ）、図７（Ａ）に示されるように、床小梁３０、３２や配水管３４等と干渉しないように配置された床下チャンバ１８の開口壁３８の位置に合わせて吹出しチャンバ１０の形状を変えることで、各仕様における多様化に対応できるようにしている。つまり、洗面台１４の吹出し用開口部４２はそのままに、床小梁３０、３２や配水管３４の位置に応じて、洗面台１４の吹出し用開口部４２と床下チャンバ１８の開口壁３８との接続をフレキシブルに対応することができる。
【００６８】
また、本実施形態では、図３に示されるように、吹出しチャンバ１０の外形変形部材５０は、複数の縦骨部５２と複数の上骨部５４と複数の下骨部５６とで構成されているため、一対の縦骨部５２、上骨部５４及び下骨部５６で構成される骨部材５５の内側は開口６２となっている。このため、吹出しチャンバ１０における接続口４４及び接続口４６を除き、骨部材５５内の開口６２は、図４に示されるように、シール部材７４によって封止するように設定されている。
【００６９】
ここで、本実施形態では、吹出しチャンバ１０の外形変形部材５０は、一対の縦骨部５２、上骨部５４及び下骨部５６で構成された骨部材５５が複数繋がって形成されている。前述のように、当該骨部材５５の内側は開口６２となっているため、開口６２には、この開口６２を塞ぐ閉塞部材７０が設けられている。換言すると、当該閉塞部材７０が設けられていない骨部材５５では、開口６２が塞がっていない。つまり、閉塞部材７０が設けられていない骨部材５５内が接続口４６となり、閉塞部材７０の有無によって接続口４６の位置を変えることができる。
【００７０】
例えば、図３に示されるように、吹出しチャンバ１０の外形変形部材５０において、折曲部Ａから折曲部Ｄまでの間に位置する開口６２Ａ〜６２Ｃには、閉塞部材７０が設けられておらず、当該開口６２Ａ〜６２Ｃが、図１に示す洗面台１４の吹出し用開口部４２に接続される接続口４６となる。しかし、接続口４６の位置はこれに限るものではなく、吹出し用開口部４２の位置に応じて変更可能である。このため、例えば、折曲部Ｊから折曲部Ａまでの間に位置する開口６２Ｊ〜６２Ｌを開口として接続口４６となるようにしていてもよい。なお、この場合、図１に示す吹出し用開口部４２は、図示はしないが、図中左側に形成されることとなる。
【００７１】
また、以上のように、骨部材５５において、開口６２内に閉塞部材７０を設けることで、骨部材５５を補強することができ、吹出しチャンバ１０自体の補強を図ることができる。
【００７２】
なお、以上の実施形態では、図３に示されるように、外形変形部材５０は骨部材５５が複数繋がって形成されているが、本態様では、外形変形部材５０の変形により吹出しチャンバ１０の外形が変更可能となればよいため、これに限るものではない。例えば、外形変形部材５０において、接続口４６以外の開口６２においては、予め閉塞された形状であってもよい。このため、図示はしないが、接続口４６以外の部位では、骨部材５５に変えて板材が設けられてもよい。但し、この場合、板材と板材の間にヒンジ部が設けられるようにする。
【００７３】
また、本実施形態では、建物において、建物ユニット２６（図１参照）で構成されるいわゆるユニット工法による建物について例に挙げて説明しているが、当該建物は、ユニット工法よる建物に限るものではなく、軸組工法による建物に適用されてもよいのは勿論のことである。
【００７４】
以上、本発明の実施形態について説明したが、本発明は、上記に限定されるものでなく、一実施形態及び各種の変形例を適宜組み合わせて用いても良いし、本発明の要旨を逸脱しない範囲内において上記以外にも種々変形して実施することが可能であることは勿論である。
【符号の説明】
【００７５】
１０    吹出しチャンバ
１２    空調設備
１４    洗面台
１４Ａ  下端部
１６    収容部
１８    床下チャンバ
２０    床下空間（床下）
３８    開口壁（床下チャンバ側開口部）
４２    吹出し用開口部
４４    接続口（第１接続口）
４６    接続口（第２接続口）
４８    洗面室
５０    外形変形部材
５２    縦骨部（外形変形部材、骨部材）
５４    上骨部（外形変形部材、骨部材）
５５    骨部材
５６    下骨部（外形変形部材、骨部材）
５８    上ヒンジ部（外形変形部材）
６０    下ヒンジ部（外形変形部材）
６２    開口
７０    閉塞部材
７４    シール部材
Ａ〜Ｌ  折曲部（折曲げ位置）
【図１】
2019207067.tif 000003
【図２】
2019207067.tif 000004
【図３】
2019207067.tif 000005
【図４】
2019207067.tif 000006
【図５】
2019207067.tif 000007
【図６】
2019207067.tif 000008
【図７】
2019207067.tif 000009
【図８】
2019207067.tif 000010